(57)【要約】【課題】カップワイヤーの肌当たりをソフトにし、着用感を良好にする。【解決手段】左右カップ部Ａ、Ａの下側縁に沿ってワイヤー２０を取り付けた外側布１１と、少なくとも左右カップ部Ａ、Ａの内側から土台部Ｂへと連続する内側布１２を備え、内側布１２はワイヤー２０の取付位置Ｅに接する位置では外側布１１と縫着せずに、該ワイヤー２０と遊離させていることを特徴とする。【選択図】図４
2008240191.tif 000002
【特許請求の範囲】
【請求項１】
カップ部の下側縁に沿ってワイヤーを取り付けた外側布と、
少なくともカップ部の内側から土台部へと連続する内側布を備え、
前記内側布は前記ワイヤーの取付位置に接する位置では外側布と縫着せずに、該ワイヤーと遊離させていることを特徴とするカップ部を有する衣類。
【請求項２】
前記内側布は、伸縮性素材からなり、下側縁、左右両側縁、左右カップ部間の前中央部の上側縁および少なくともカップ部の肩紐取付位置から脇側に達する上側縁は前記外側布と縫着し、前記端縁以外は前記外側布と縫着せずに遊離させている請求項１に記載のカップ部を有する衣類。
【請求項３】
前記内側布は、前記ワイヤー取付位置から少なくとも０．５ｃｍ〜２．０ｃｍ隔てた下側位置で前記外側布と縫着している請求項１乃至請求項２に記載のカップ部を有する衣類。
【請求項４】
前記内側布は、前面側において下記の（１）〜（３）の形状とし、かつ、左右背面部を一体的に連続し、あるいは左右背面部を前記内側布と同一素材で形成して縫着している請求項１乃至請求項３のいずれか１項に記載のカップ部を有する衣類。
（１）左右カップ部と、該左右カップ部間の前中央部と、左右カップ部の土台部を連続した１枚の布；
（２）前記（１）の１枚の布を前中央部で分割した２枚の布；
（３）左右カップ部の中央側部と該左右カップ部間の前中央部と左右カップ部の土台部を連続した中央部の１枚の布と、左右カップ部の脇側部と土台部とを連続する左右２枚の布とからなる合計３枚の布：
【発明の詳細な説明】
【技術分野】
【０００１】
本発明は、ブラジャー等のカップ部を有する衣類に関し、特に、カップワイヤー入りの衣類において、着用時のワイヤーの肌あたりを改善するものである。
【背景技術】
【０００２】
ブラジャーやボディスーツ等のカップ部を有する衣類は、バストの下方や脇側への肉流れを防いで美しいバストラインを形成するために、カップ部の下側縁に沿ってワイヤーを取り付けたものが広く知られている。
しかしながら、そのワイヤーによって、着用時に痛みや圧迫感を感じたり、肌にワイヤー跡が残ることで、不快感を感じる人もいるため、従来より、ワイヤーの肌あたりを改善する対策が種々講じられている。
【０００３】
例えば、特開２００６−１３８０５６号（特許文献１）では、図１０に示すように、バストカップ部を肌側カップ部２ａと表側カップ部２ｂで構成すると共に、土台部も肌側土台部３ａと表側土台部３ｂとで構成し、肌側カップ部２ａと表側カップ部２ｂとの間に、バストカップ下辺縁に沿ってワイヤー部４を設置するが、該ワイヤー部４を肌側カップ部２ａには縫着しないブラジャー１が提案されている。
【０００４】
また、特開２０００−１６０４０６号（特許文献２）では、図１１に示すように、バストカップ部を肌側布６と中布７と表布８で構成し、ワイヤー部９を中布７に縫着ｈ１し、該中布７と肌側布６とを下側縁で縫着ｈ２するが、該肌側布６にはワイヤー部９を縫着しないブラジャー５が提案されている。
【０００５】
これらのブラジャー１、５はいずれも、ワイヤー部４、９を肌側カップ部２ａ、肌側布６に縫着していないため、ワイヤー部４、９の取付位置に縫い目が重ならず、着用時の肌あたりを良くすることができるとされている。
【０００６】
しかしながら、特許文献１のブラジャー１は、ワイヤー部４の外円周、またはワイヤー部４に近接した位置で肌側カップ部２ａと表側カップ部２ｂが縫着ｈ３されており、この縫着部ｈ３とワイヤー部４とが近すぎるために、縫着部ｈ３の縫い目がワイヤー部４に引っ張られて肌に押し付けられることに因る圧迫感や擦れ感を解消しきれない点に問題がある。
【０００７】
また、特許文献２のブラジャー５も、中布７と肌側布６との縫着部ｈ２と、ワイヤー部９の取付位置（縫着部ｈ１）とが近接しているため、ワイヤー部９の肌への密着力が前記縫着部ｈ２にも影響することを排除できないと認められる。従って、着用時には、縫着部ｈ２の縫い目はワイヤー部９と共に肌側に押し付けられることになり、やはり圧迫感や痛みを生じる恐れが多い。
【０００８】
【特許文献１】特開２００６−１３８０５６号公報
【特許文献２】特開２０００−１６０４０６号公報
【発明の開示】
【発明が解決しようとする課題】
【０００９】
本発明は前記問題に鑑みてなされたもので、カップワイヤーの肌あたりが良好なカップ部を有する衣類の提供を課題としている。
【課題を解決するための手段】
【００１０】
前記課題を解決するために、本発明は、カップ部の下側縁に沿ってワイヤーを取り付けた外側布と、少なくともカップ部の内側から土台部へと連続する内側布を備え、
前記内側布は前記ワイヤーの取付位置に接する位置では外側布と縫着せずに、該ワイヤーと遊離させていることを特徴とするカップ部を有する衣類を提供している。
【００１１】
前記衣類は、ワイヤーの取付位置に接する内側布のカップ部下側縁に、カップ部と土台部との接ぎ目がないうえ、外側布との縫着部も無く、これら縫着箇所とワイヤー取付位置とが重なりも接触もしない構成となっている。従って、着用時に、前記縫着箇所がワイヤーによって上から押し付けられる、あるいは、ワイヤーの肌への密着力に引っ張られて肌側に押し付けられることを防止できるため、ワイヤー取付箇所の肌あたりを良好にし、ワイヤーによる圧迫感や擦れ感を緩和することができる。
【００１２】
前記内側布は、伸縮性素材からなり、下側縁、左右両側縁、左右カップ部間の前中央部の上側縁および少なくともカップ部の肩紐取付位置から脇側に達する上側縁は前記外側布と縫着し、前記端縁以外は前記外側布と縫着せずに遊離させていることが好ましい。
【００１３】
このように、内側布を伸縮性素材で形成すると共に、該内側布と外側布との縫着箇所を外周縁部に限定することにより、内側布独自の運動追従性を高めることができる。これにより、身体運動時にバストが動いても、ワイヤーをズリ上げることなく内側布をバストにフィットさせることができ、運動時も良好な着用感を実現することができる。
【００１４】
なお、内側布の端縁には別体の縁取りテープを取り付けないことが好ましい。これにより、着用感が一層ソフトとなり、肌にテープ跡が残ることも防止できる。
【００１５】
前記内側布は、前記ワイヤー取付位置から少なくとも０．５ｃｍ〜２．０ｃｍ隔てた下側位置で前記外側布と縫着していることが好ましい。
これは、０．５ｃｍ未満では、内側布と外側布との縫着箇所とワイヤー取付位置とが近接して、着用時に前記縫着箇所がワイヤーに引っ張られて肌に押し付けられてしまい、圧迫感や擦れ感を解消できないことに因る。
【００１６】
前記内側布は、前面側において下記の（１）〜（３）の形状とし、かつ、左右背面部を一体的に連続し、あるいは左右背面部を前記内側布と同一素材で形成して縫着している。
（１）左右カップ部と、該左右カップ部間の前中央部と、左右カップ部の土台部を連続した１枚の布；
（２）前記（１）の１枚の布を前中央部で分割した２枚の布；
（３）左右カップ部の中央側部と該左右カップ部間の前中央部と左右カップ部の土台部を連続した中央部の１枚の布と、左右カップ部の脇側部と土台部とを連続する左右２枚の布とからなる合計３枚の布：
【発明の効果】
【００１７】
上述したように、本発明によれば、ワイヤー取付位置と重なる箇所や近接する箇所には、内側布と外側布との縫着部も、内側布のカップ部と土台部との接ぎ目も設けないため、着用時にワイヤーと重なって、あるいは、ワイヤーに引っ張られて前記縫着箇所が肌に押し付けられることを防止できる。これにより、着用時の肌あたりが良好となり、ワイヤーによる圧迫感や擦れ感を緩和できる。
【００１８】
また、前記内側布を伸縮性素材で形成し、外側布との縫着箇所を外周縁部に限定することにより、内側布独自の運動追従性を高めることができ、運動時においても、ワイヤーをズリ上げることなく良好なフィット感を実現することができる。
【発明を実施するための最良の形態】
【００１９】
以下、本発明の実施形態を図面を参照して説明する。
図１乃至図４は、本発明の第一実施形態にかかるブラジャー１０を示す。
ブラジャー１０は、左右のバストを覆う左右カップ部Ａ、Ａと、該左右カップ部Ａ、Ａの下部を覆う土台部Ｂと、カップ部Ａの脇側から連続する左右背面部Ｃ、Ｃ、および左右肩紐部Ｄ、Ｄとで構成されている。
【００２０】
前記左右カップ部Ａ、Ａおよび土台部Ｂは、外側布１１と内側布１２とで構成されている。外側布１１にはカップ部の下側縁に沿ってＵ状に湾曲したワイヤー２０を取り付け、内側布１２はワイヤー２０の取付位置に接する位置では外側布１１と縫着せずに、ワイヤー２０と遊離させている。
【００２１】
前記内側布１２は、図２に示すように、乳頭近傍を通る左右境界線Ｌ４、Ｌ４で左右カップ部Ａ、Ａから土台部Ｂにかけて分割し、左右境界線Ｌ４、Ｌ４に挟まれた中央部１２ａと、該左右境界線Ｌ４、Ｌ４より脇側の左側部１２ｂおよび右側部１２ｃの計３枚の生地からなる。
すなわち、前記中央部１２ａは、左右カップ部Ａ、Ａに挟まれた前中央部と、左右カップ部Ａ、Ａの中央側部と、土台部Ｂとを連続してなる。
前記左側部１２ｂと右側部１２ｃは、左右カップ部Ａ、Ａの脇側部と土台部Ｂ、さらに左右背面部Ｃ、Ｃまで連続し、左右背面布１７、１７を連続一体に形成している。
この内側布１２は、端始末不要で伸縮性を備えたダブルトリコットからなる。
【００２２】
外側布１１は、図１および図４に示すように、左右カップ部Ａ、Ａの外側を覆う外側カップ布１３と、土台部Ｂの外側を構成する外側土台布１４とからなり、外側カップ布１３は、表布１５とクッション材１６とを重ね合わせている。
【００２３】
前記表布１５は、図１に示すように、左右のカップ部Ａ、Ａを覆う形状よりなり、バストトップ位置近傍を通る左右境界線Ｌ１よりも中央側を覆う中央側布１５ａと、前記左右境界線Ｌ１よりも脇側を覆う脇側布１５ｂとを互いに縫着してなる。この表布１５は、トリコットからなる。
【００２４】
前記表布１５の内側には、前記クッション材１６を重ねて縫着している。
該クッション材１６は、図３に示すように、バストトップ位置近傍を通る上下境界線Ｌ２よりも上側を覆う上側クッション材１６ａと、前記バストトップ位置近傍から下辺の下端点まで延びる左右境界線Ｌ３よりも中央側を覆う中央側クッション材１６ｂと、該左右境界線Ｌ３よりも脇側を覆う脇側クッション材１６ｃとを、スリーステッチで互いに縫着して形成している。
前記表布１５とクッション材１６とを重ね合わせて外周縁を縫着し、図４に示すように、一体の外側カップ布１３を形成している。該外側カップ布１３の肌側には、下側縁１３ａに沿って、Ｕ状に湾曲した樹脂ワイヤー２０を封入した封入布２１を縫着している。
【００２５】
前記外側土台布１４は、図１に示すように、バージスラインに沿って左右カップ部Ａ、Ａの下部を円弧状に覆い、図４にも示すように、前記内側布１２の下側部と重ね合わせて前記土台部Ｂを形成している。
詳しくは、外側土台布１４は、左右カップ部Ａ、Ａ間の前中央部を略三角形状とし、この三角状部１４ａから左右に延在して、バージスラインに沿ってカップ部Ａの下部を脇側端１４ｃまで覆う円弧状部１４ｂを形成している。
前記外側土台布１４は、ダブルトリコットとマーキゼットをラミネート加工した加工生地で形成しており、図４に示すように、前記外側カップ布１３の下側縁１３ａに沿って、前記ワイヤー２０の取付位置Ｅの外側に重ねて一体に縫着されている。
前記左右肩紐部Ｄ、Ｄを構成する左右一対の肩紐１８、１８は、前記左右カップ部Ａ、Ａの上端から左右背面布１７、１７の上側縁１７ａ、１７ａにかけて取り付けている。
【００２６】
前記外側布１１と内側布１２を下記のように縫製して形成している。
まず、外側布１１は、前記外側カップ布１３の下側縁１３ａに沿って、外側カップ布１３とワイヤー封入布２１と外側土台布１４とを一体に縫着している。
前記内側布１２は、前記中央部１２ａ、左側部１２ｂ、右側部１２ｃを、前記左右境界線Ｌ４、Ｌ４で縫着し、１枚に連続している。
【００２７】
前記外側布１１と内側布１２とは、下側縁、左右両側縁、左右カップ部間の前中央部の上側縁および少なくともカップ部の肩紐取付位置から脇側に達する上側縁は前記外側布と縫着し、前記端縁以外は前記外側布と縫着せずに遊離させている。
詳細には、内側布１２は、図２に示すように、肩紐１８の取付位置である上端１２ｄから前中央側に達する上側縁１２ｅと、前記上端１２ｄから脇側に達する上側縁１２ｆと、左右カップ部Ａ、Ａ間の上側縁１２ｇと、外側土台布１４の脇側端１４ｃと、該外側土台布１４の湾曲した下側縁１４ｄとで、前記外側布１１と縫着し、その他の箇所では外側布１１と縫着していない。
【００２８】
また、外側土台布１４の下側縁１４ｄでの内側布１２との縫着部Ｈ１は、ワイヤー封入布２１と外側カップ布１３および外側土台布１４との縫着部のうち外周側（下側）の縫着部Ｈ２から０．５ｃｍ〜２．０ｃｍ離隔した下側位置としている。
【００２９】
前記構成のブラジャー１０は、内側布１２が左右カップ部Ａ、Ａから土台部Ｂまで縫い目なく連続しているうえ、該内側布１２に、ワイヤー２０を封入したワイヤー封入布２１を縫着していないため、肌に直接接する内側布１２には、ワイヤー取付位置Ｅと重なる位置に縫い目や生地の折り重ね等による隆起部が存在しない。
また、ワイヤー封入布２１が取り付けられている外側布１１と内側布１２との下側縁での縫着部Ｈ１は、外側布１１へのワイヤー封入布２１の縫着部Ｈ２と接することなく、この縫着部Ｈ１、Ｈ２間に０．５ｃｍ〜１．７ｃｍの幅Ｗ２を確保している。すなわち、内側布１２には、ワイヤー取付位置Ｅの近接箇所にも、縫い目等の隆起部が存在しない。
従って、着用時に、ワイヤー２０によって、あるいはワイヤー２０の肌への密着力に引っ張られて、縫い目等の隆起部が肌に直接強く押し付けられることを防止できるため、ワイヤー取付位置Ｅの肌当たりがソフトとなり、圧迫感や擦れ感を軽減することができる。
【００３０】
さらに、内側布１２と外側布１１とは、外側布１１の外周縁に沿って縫着されているが、それ以外の箇所では縫着せず、内側布１２を外側布１１から遊離させている。従って、伸縮性の高い内側布１２の運動追従性を有効に機能させることができるため、運動時にバストが大きく動いても、ワイヤー２０の位置をズリ上げることなく、内側布１２をバストにフィットさせることができる。
【００３１】
図５および図６に、前記内側布１２の形状を異ならせた第一実施形態の変形例を示す。
内側布１２は、図５に示す変形例１のように、前中央線Ｌ５で分割した左右一対の生地で形成してもよい。
また、図６に示す変形例２のように、前中央線Ｌ５で分割せず、左右カップ部Ａ、Ａから土台部Ｂ、左右背面部Ｃ、Ｃにかけて連続する一枚布で形成してもよい。
【００３２】
図７および図８に本発明の第二実施形態を示す。
第二実施形態では、内側布１２’を左右背面部Ｃ、Ｃまで延在せず、左右背面部Ｃ、Ｃには別体の左右背面布１７’、１７’を取り付けている。
【００３３】
前記背面布１７’は、内側布１２’と同一素材から形成し、端始末不要であると共に、高い伸縮性を備えている。
外側土台布１４’は、バージスラインに沿って左右カップ部Ａ、Ａの間および下部を覆い、左右脇線Ｌ６、Ｌ６まで延在している。
前記左右背面布１７’は、前記左右脇線Ｌ６、Ｌ６で、内側布１２’と外側土台布１４’の間に挟んで縫着している。
その他の構成および作用は第一実施形態と同様であるため説明を省略する。
【００３４】
図９に本発明の第三実施形態を示す。
第三実施形態では、第一実施形態の変形例２と同様、内側布３２を前中央線Ｌ５で分割せず、左右カップ部Ａ、Ａから土台部Ｂ、左右背面部Ｃ、Ｃにかけて連続する一枚布で形成している。
本実施形態の内側布３２は、端始末不要で伸縮性を備えた丸編のメリアス編地から形成しており、左右カップ部Ａ，Ａに相当する部分は凹み部を有する立体形状となるよう、立体編地として編成している。
その他の構成および作用は第一実施形態と同様であるため説明を省略する。
【図面の簡単な説明】
【００３５】
【図１】第一実施形態に係るブラジャーの表側平面図である。
【図２】図１に示すブラジャーの裏側平面図である。
【図３】図１に示すブラジャーのクッション材の表側平面図である。
【図４】図１のIV−IV線概略断面図である。
【図５】第一実施形態の変形例１を示す裏側平面図である。
【図６】第一実施形態の変形例２を示す裏側平面図である。
【図７】第二実施形態に係るブラジャーの表側平面図である。
【図８】図７に示すブラジャーの裏側平面図である。
【図９】第三実施形態に係るブラジャーの裏側平面図である。
【図１０】従来例の図である。
【図１１】他の従来例の図である。
【符号の説明】
【００３６】
１０  ブラジャー
１１  外側布
１２、１２’、３２  内側布
１３  外側カップ布
１４、１４’  外側土台布
１７、１７’  背面布
２０  ワイヤー
Ａ  カップ部
Ｂ  土台部
Ｃ  背面部
Ｅ  ワイヤー取付位置
【図１】
2008240191.tif 000003
【図２】
2008240191.tif 000004
【図３】
2008240191.tif 000005
【図４】
2008240191.tif 000006
【図５】
2008240191.tif 000007
【図６】
2008240191.tif 000008
【図７】
2008240191.tif 000009
【図８】
2008240191.tif 000010
【図９】
2008240191.tif 000011
【図１０】
2008240191.tif 000012
【図１１】
2008240191.tif 000013